(57)【要約】【課題】廃物ガラスなどの廃材を容易かつ有効に利用できるグラウンドの構造を提供する。【解決手段】上層の埋め戻し層３と下層の排水層２とを備えたグラウンドの構造に関する。排水層２は厚さが３０ｃｍ以上の層からなり、排水層２を形成する粉粒状物は平均粒径が  ３．０ｍｍ未満のガラスの粉粒状物を５０重量％以上含む。排水層２の下方には、排水用の暗渠５が設けられ、当該暗渠の充填物８として、平均粒径が  ３．０ｍｍ〜  ７．０ｍｍのガラス粒が５０重量％以上含まれている。ガラスの粉粒状物およびガラス粒は、古い建築物などを壊した際の廃物ガラスを破砕して容易に得ることができるので、廃物ガラスを有効に利用することができる。【選択図】                図１
2004162452.tif 000002
【特許請求の範囲】
【請求項１】
上層の埋め戻し層と下層の排水層とを備えたグラウンドの構造であって、
前記排水層は厚さが３０ｃｍ以上の層からなり、
前記排水層を形成する粉粒状物は平均粒径が  ３．０ｍｍ未満のガラスの粉粒状物を５０重量％以上含むグラウンドの構造。
【請求項２】
請求項１において、
前記排水層の下方には、排水用の暗渠が設けられ、当該暗渠の充填物として、平均粒径が  ３．０ｍｍ〜７．０ｍｍ  のガラス粒が５０重量％以上含まれているグラウンドの構造。
【請求項３】
請求項１において、
前記排水層を分断するように前記排水層よりも下方の層と前記埋め戻し層との間にわたる立壁が埋設されており、
該立壁の粘結剤として焼セッコウが含まれているグラウンドの構造。
【発明の詳細な説明】
【０００１】
【発明の属する技術分野】
本発明はグラウンドの構造に関するものである。
【０００２】
【従来の技術】
古い建築物を取り壊すと、種々の廃材が生じ、その処理に種々の環境上、社会上の問題が発生する。これら廃材をグラウンドに有効利用した発明がある（たとえば、特許文献１参照。）。かかる発明においては、プラスチックの廃材等で形成したブロックを排水管の周囲に配置して透水性を向上させている。
【０００３】
【特許文献１】
特開平３−１０３５０４号公報  （第２−３頁、第２図）
【０００４】
しかし、前記発明においては、廃材を用いたブロックを予め成型しておかなくてはならないので手間がかかる。また、建築物の廃材の中でかなりの割合を占めるガラス廃材を少量しか処理することができない。
【０００５】
したがって、本発明は、廃物ガラスなどの廃材を容易かつ有効に利用できるグラウンドの構造を提供することである。
【０００６】
【発明の概要】
前記目的を達成するために、本発明にかかるグラウンドはガラスの廃材を多量に含んでいる。
すなわち、本発明のグラウンドの構造は、上層の埋め戻し層と下層の排水層とを備えており、前記排水層は厚さが３０ｃｍ以上の層からなり、前記排水層を形成する粉粒状物は平均粒径が  ３．０ｍｍ未満のガラスの粉粒状物を５０重量％以上含んでいる。
【０００７】
一般に、廃物ガラスをリサイクルするためには、ガラスを高温で溶解する必要があるので、新たな熱エネルギが必要になる。本発明においては、廃物ガラスを破砕して得たガラスの粉粒状物を用いている。そのため、ガラスを昇温させる必要がないので、新たに多量のエネルギを必要としない。
【０００８】
本発明において、排水層の厚さを３０ｃｍ以上とした理由は、排水層の厚さが薄すぎると吸水能力が小さく、十分な水はけ効果を得られないからである。
【０００９】
本発明において、ガラスの粉粒状物の平均粒径を  ３．Ｏｍｍ未満とした理由は、平均粒径が  ３．Ｏｍｍを超えると、粉粒状物同士の間の空隙が大きくなり、該空隙に埋め戻し層の土が入り込んで、グラウンドの地表面が沈下するおそれがあるからである。したがって、排水層に用いるガラスの粉粒状物として、好ましくは平均粒径５０μｍ  〜  ２．０ｍｍ程度のガラスの粉粒状物を用い、更に好ましくは平均粒径  １００μｍ  〜１０００μｍ  程度のガラスの粉粒状物を用いる。
なお、ガラスの粉粒状物の平均粒径があまり小さいと吸水能力の低下を招く。
【００１０】
本発明において、ガラスの粉粒状物が５０重量％以上含まれるとした理由は、透水性を向上させる目的に加え、多量の廃物ガラスを処理する目的を達成するためである。なお、「粉粒状物」とは、粉末のみの集合体、粒状物のみの集合体ならびに粉末と粒状物の混合物の集合体を含む。
【００１１】
本発明においては、前記排水層の下方に排水用の暗渠を設けてもよい。当該暗渠の充填物としては、廃物ガラスの破砕粒を用いることができ、好ましくは平均粒径が  ３．０ｍｍ〜７．０ｍｍ  のガラス粒を用いる。当該ガラス粒の平均粒径は、前記排水層に含まれるガラスの粉粒状物の平均粒径よりも大きいので、ガラス粒のまわりに若干空隙ができる。したがって、暗渠の溝には、通水性が良好に保持される。また、暗渠の充填物として、ガラス粒を用いることにより、廃物ガラスを更に有効利用することができる。
【００１２】
また、本発明においては、前記排水層を分断するように前記排水層よりも下方の層と前記埋め戻し層との間にわたる立壁を埋設するのが好ましい。当該立壁により、前記排水層の液状化を防止することができる。すなわち、前記排水層はガラスの粉粒状物を多量に含むため液状化するおそれがあり、万一、液状化した場合に、前記立壁により前記排水層の流動を堰き止めることにより液状化を防止することができる。
また、前記立壁は、焼セッコウ（ＣａＳＯ４  の半水和物）を含む。該焼セッコウは、セッコウボードの廃材を破砕することにより得られるので、廃材を有効利用できるばかりでなく、立壁の粘結剤として作用する。なお、セッコウボードには、石灰や消石灰なども含まれ、これら石灰または消石灰も無機結合材として作用する。
【００１３】
【発明の実施の形態】
以下、本発明の一実施形態を図面にしたがって説明する。
図１において、排水層２の上に埋め戻し層３が積層されて、本グラウンド（競技場、運動場）が形成されている。前記排水層２よりも下方の地層４には、縦横に排水用の暗渠５が複数設けられている。
【００１４】
前記暗渠５は、地層４に形成された溝６と、集水用のパイプ７と、多数のガラス粒を含む充填物８とを備えており、グラウンドの雨水などを排水するためのものである。前記溝６は前記排水層２や埋め戻し層３に対して概ね水平に、深い横穴状に形成されている。
【００１５】
前記ガラス粒は、その平均粒径が  ３．０ｍｍ〜７．０ｍｍ  のガラス粒であり、前記暗渠５の充填物８全体の５０重量％以上を占めている。その他の充填物としては、たとえば、炭の粉粒状物などを用いるのが好ましい。炭には、化学物質を吸着する作用があるので、かかる炭を充填物８に含むことで、排水中の有害物質を吸着することができ、環境保全上好ましい。しかも、かかる炭の粉粒状物の原料は住宅の廃材などから得ることができるので、廃物利用の観点からも好ましい。
【００１６】
なお、前記パイプ７は、たとえば多孔管などにより形成され、前記溝６に沿って、かつ、前記溝６における横断面の中央よりも底部に埋設されている。パイプ７は充填物８を下に敷いた後に配管する。
また、透水性を備えるシートなどを溝６の周囲に配設して、前記充填物８を周囲から覆うようにしてもよい。これにより、充填物８同士の隙間に土砂が詰まるのを防止できる。
【００１７】
前記排水層２には、前述したように、ガラスの粉粒状物が排水層２全体の５０重量％以上含まれている。これら多量のガラスの粉粒状物を土砂と混合する方法としては、直接ガラスの粉粒状物と土砂をミキサー等で混合する方法の他、前記ガラスの粉粒状物を水と共に攪拌してスラリー状にしたものを土砂と混合する方法がある。後者の方法の場合には、建築用または土木用重機のアタッチメントにより、摘むようにして捏ねながら、前記スラリー状のガラスの粉粒状物を注入、散布などにより土砂に加えて土砂に混合する。これにより、施工性が向上する。
なお、ガラスの粉粒状物と混合する土砂は、排水層２などを形成するために掘り起こした土砂を利用することで、廃土処理の問題や新しい土を予め用意しておく必要がなくなる。
【００１８】
続いて、前記排水層２を積層する前に、立壁１０を設ける。前記立壁１０の下端部分１０ｂは前記地層４に埋設され、上方に向って突設されている。前記立壁１０は、上方から平面視して概ね格子状となるように配設するのが好ましい。
なお、前記立壁１０には、前述した焼セッコウの他に炭の粉状物ないし粒状物を添加してもよい。周知のように炭には調湿作用があるので、かかる炭を立壁１０に添加することにより、前記排水層２の凝固状態を安定化させる効果が期待できる。
【００１９】
前記立壁１０の設置が完了すると、前記排水層２を前記地層４の上に積層する。この際、前記立壁１０の上端部分１０ａが前記排水層２よりも上方に若干突出するように前記立壁１０を埋設する。その後、前記暗渠５、立壁１０および排水層２を設けるために掘り起こした土砂を前記排水層２の上に埋め戻して前記埋め戻し層３とする。
【００２０】
図１に示すように、本グラウンドのまわりにフェンス１５を設ける場合には、合成樹脂の発泡体（たとえば、発砲スチロール）を含む壁を用いるのが好ましい。廃材処理の目的の他に、合成樹脂の発泡体を混入することで、従来のコンクリート製のフェンスなどに比べ、人がフェンス１５に衝突した際にクッションを与えることができるからである。
【００２１】
また、前記埋め戻し層３のまわりの地表面には、「苦汁（ニガリ）」を散布してもよい。この「苦汁」は、前記暗渠５や立壁１０に添加される炭を生成する際の廃熱と海水により得られるので、コストが安い。かかる「苦汁」はＭｇＣｌ２  やＭｇＳＯ４  を主成分とし、ＮａＣｌを含んでいるので、雑草の繁殖を防止することができる。したがって、グラウンドを見栄えの良い状態に容易に管理することができる。
【００２２】
【発明の効果】
以上説明したように、本発明のグラウンドの構造においては、排水層がガラスの粉粒状物で形成されているので水はけが良く、降雨後のグラウンドの整地を容易かつ速やかに行うことができる。しかも、上層の埋め戻し層に芝生などを植えた場合には、水はけの良い、芝の生育に最適な条件のグラウンドとなり得る。
また、住宅などの廃材の中でも処理に困る廃物ガラスを有効に、かつ、大量に用いるので、地球環境の改善に大幅に役立つ。
しかも、排水層や埋め戻し層の土砂は、掘り起こした既存の土砂を用いているので、廃土の処理の問題や新しい土を必要としない。
さらに、ガラス廃材を用いたことにより、万一、液状化現象が起こったとしても、グラウンドであれば大きな被害になるおそれが少ない。
【００２３】
また、排水層の下方に排水用の暗渠を設け、当該暗渠の充填物として、ガラス粒を採用すれば、暗渠に対する通水性の向上に加え、更なる地球環境の改善を図ることができる。
特に、暗渠に充填するガラス粒の粒径が大きく、一方、下層の排水層を形成するガラスの粉粒状物の粒径が小さいので、暗渠用のガラス粒を製造した際に生じる小さな粉粒状物を下層の排水層に用いることができ、廃ガラスの十分な有効利用を図ることができる。
【００２４】
また、立壁に含まれる焼セッコウは、建築材として多量に使用されているセッコウボードから生成することができる。したがって、液状化を防止するだけでなく、更なる環境改善を図ることができる。
【図面の簡単な説明】
【図１】本発明の一実施形態にかかるグラウンドの構造を示す断面図である。
【符号の説明】
２：排水層
３：埋め戻し層
４：地層
５：暗渠
１０：立壁
１５：フェンス
【図１】
2004162452.tif 000003
【手続補正書】
【提出日】平成15年3月14日(2003.3.14)
【手続補正１】
【補正対象書類名】明細書
【補正対象項目名】特許請求の範囲
【補正方法】変更
【補正の内容】
【特許請求の範囲】
【請求項１】
上層の埋め戻し層と下層の排水層とを備えたグラウンドの構造であって、
前記排水層は厚さが３０ｃｍ以上の層からなり、
前記排水層を形成する粉粒状物は平均粒径が  ３．０ｍｍ未満のガラスの粉粒状物を５０重量％以上含み、
前記排水層を分断するように前記排水層よりも下方の層と前記埋め戻し層との間にわたる立壁が埋設されているグラウンドの構造。
【請求項２】
請求項１において、
該立壁の粘結剤として焼セッコウが含まれているグラウンドの構造。
【請求項３】
請求項２において、
前記排水層の下方には、排水用の暗渠が設けられ、当該暗渠の充填物として、平均粒径が  ３．０ｍｍ〜７．０ｍｍ  のガラス粒が５０重量％以上含まれているグラウンドの構造。